(57)【要約】【課題】  受信装置内部で発生するノイズの影響を受けることなく受信信号の再生を可能とすること。【解決手段】  受信信号ｅを増幅して出力するＲＦ増幅回路６２０は、ノイズタイミング信号生成部８６により生成された表示制御信号ａに基づくエッジパルス信号ｂに同期して回路動作を一定時間停止する。ＲＦ増幅回路６２０によって出力される間欠信号ｆは、第１フィルタ回路６２１、周波数変換回路６２２、第２フィルタ回路６２４、ＩＦ増幅回路６２５、検波回路６２６によって所定の処理がなされ、検波信号ｇとして第３フィルタ回路６２７へ出力される。第３フィルタ回路６２７は、検波信号ｇを平滑化する処理を行い、時刻補正信号ｈとしてタイムコード変換部へ出力する。  これにより、表示制御信号を発生源とするノイズによる影響を防止することができる。【選択図】図２
2005073223.tif 000002
【特許請求の範囲】
【請求項１】
アンテナで受信信号を受信する受信部と情報を表示する表示部とを備えている電波受信装置において、
前記表示部を表示制御するために出力されたパルス波形形状の表示制御信号のエッジ部分を検知し、このエッジ部分の発生タイミングに同期したノイズタイミング信号を出力するノイズタイミング信号出力手段と、
このノイズタイミング信号出力手段から出力されたノイズタイミング信号に同期して、予め定められている時間、前記受信信号を増幅させるための制御動作を一時的に停止するように制御する増幅動作停止制御手段と、
を備えていることを特徴とする電波受信装置。
【請求項２】
前記受信信号を増幅した信号を所定の発振信号と合成して中間周波信号に変換し、この変換された中間周波信号に基づく検波信号を出力する検波信号出力手段を更に備えている請求項１記載の電波受信装置。
【請求項３】
前記増幅動作停止制御手段の制御によって前記受信信号を増幅させる制御動作が停止された信号が前記検波信号として出力された場合に、この出力された検波信号を平滑化して出力する平滑化出力手段を更に備えている請求項２記載の電波受信装置。
【請求項４】
アンテナで受信信号を受信する受信部と情報を表示する表示部とを備えている電波受信装置において、
前記表示部を表示制御するために出力されたパルス波形形状の表示制御信号のエッジ部分を検知し、このエッジ部分の発生タイミングに同期したノイズタイミング信号を出力するノイズタイミング信号出力手段と、
このノイズタイミング信号出力手段から出力されたノイズタイミング信号に同期して、予め定められている時間、前記アンテナを短絡させて前記受信信号のエネルギーを放散する受信信号制御手段と、
を備えていることを特徴とする電波受信装置。
【請求項５】
前記受信信号を増幅した信号を所定の発振信号と合成して中間周波信号に変換し、この変換された中間周波信号に基づく検波信号を出力する検波信号出力手段を更に備えている請求項４記載の電波受信装置。
【請求項６】
前記受信信号制御手段の制御によって前記受信信号が無信号とされて前記検波信号として出力された場合に、この出力された前記検波信号を平滑化して出力する平滑化出力手段とを備えている請求項５記載の電波受信装置。
【請求項７】
前記ノイズタイミング信号を平滑化して出力するノイズタイミング信号平滑化手段を更に備え、
前記受信信号制御手段は、前記ノイズタイミング信号平滑化手段により出力された信号に基づいて、予め定められている時間、前記アンテナを短絡させて前記受信信号のエネルギーを放散する信号短絡制御手段を有することを特徴とする請求項４に記載の電波受信装置。
【請求項８】
アンテナで受信信号を受信し利得制御信号に従った利得で増幅する受信部と情報を表示する表示部とを備えている電波受信装置において、
前記表示部を表示制御するために出力されたパルス波形形状の表示制御信号のエッジ部分を検知し、このエッジ部分の発生タイミングに同期したノイズタイミング信号を出力するノイズタイミング信号出力手段と、
このノイズタイミング信号出力手段から出力されたノイズタイミング信号に同期して、予め定められている時間、前記利得制御信号から利得を減衰させる信号を出力する利得制御信号出力手段と、
を備えていることを特徴とする電波受信装置。
【請求項９】
前記受信信号を増幅した信号を所定の発振信号と合成して中間周波信号に変換し、この変換された中間周波信号に基づく検波信号を出力する検波信号出力手段を更に備えている請求項８記載の電波受信装置。
【請求項１０】
前記利得制御信号出力制御手段の制御によって前記利得制御信号から利得を減衰させる信号が出力された場合に前記中間周波信号を検波して出力された検波信号を平滑化して出力する平滑化出力手段とを更に備えている請求項９記載の電波受信装置。
【請求項１１】
アンテナで受信信号を受信し増幅させて検波信号を出力する受信部と情報を表示する表示部とを備えている電波受信装置において、
前記表示部を表示制御するために出力されたパルス波形形状の表示制御信号のエッジ部分を検知し、このエッジ部分の発生タイミングに同期したノイズタイミング信号を出力するノイズタイミング信号出力手段と、
このノイズタイミング信号出力手段から出力されたノイズタイミング信号に同期して、予め定められている時間、前記検波信号から出力された信号を無信号とする信号制御手段と、
を備えていることを特徴とする電波受信装置。
【請求項１２】
前記受信信号を増幅した信号を所定の発振信号と合成して中間周波信号に変換し、この変換された中間周波信号に基づく検波信号を出力する検波信号出力手段を更に備えている請求項１１記載の電波受信装置。
【請求項１３】
前記信号制御手段の制御によって前記検波信号から出力された信号が無信号とされた場合に、この出力された検波信号を平滑化して出力する平滑化出力手段とを更に備えている請求項１２記載の電波受信装置。
【請求項１４】
アンテナで受信した受信信号を増幅した信号を所定の発振信号と合成して中間周波信号に変換し検波信号として出力する受信部と情報を表示する表示部とを備えている電波受信装置において、
前記表示部を表示制御するために出力されたパルス波形形状の表示制御信号のエッジ部分を検知し、このエッジ部分の発生タイミングに同期したノイズタイミング信号を出力するノイズタイミング信号出力手段と、
このノイズタイミング信号出力手段から出力されたノイズタイミング信号に同期して、予め定められている時間、前記中間周波信号を無信号とする中間周波信号制御手段と、
を備えていることを特徴とする電波受信装置。
【請求項１５】
前期中間周波信号制御手段の制御によって前記中間周波信号が無信号とされた場合に前記中間周波信号を検波して出力された検波信号を平滑化して出力する平滑化出力手段とを更に備えている請求項１４記載の電波受信装置。
【請求項１６】
請求項１〜１５の何れか一項に記載の電波受信装置において、
表示部を表示制御するためのパルス波形形状の表示制御信号を生成する表示制御信号生成手段と、
この表示制御信号生成手段によって生成された表示制御信号による表示制御を、予め定められている時間遅延させる時間遅延制御手段を更に備えたことを特徴とする電波受信装置。
【請求項１７】
請求項１〜１６の何れか一項に記載の電波受信装置と、
この電波受信装置から出力される信号に含まれる標準電波信号に基づいて標準タイムコードを生成するタイムコード生成手段と、
現在時刻を計数する時刻計数手段と、
前記タイムコード生成手段によって生成された標準タイムコードに基づいて前記時刻計数手段で計数される現在時刻データを修正する修正手段と、
を備えたことを特徴とする電波時計。
【請求項１８】
請求項１〜１６の何れか一項に記載の電波受信装置と、
この電波受信装置から出力される信号に含まれる標準電波信号に基づいて標準タイムコードを生成するタイムコード生成手段と、
このタイムコード生成手段によって生成された標準タイムコードを送信する送信手段と、
を備えたことを特徴とする中継器。
【発明の詳細な説明】
【技術分野】
【０００１】
本発明は、電波受信装置、電波時計及び中継器に関する。
【背景技術】
【０００２】
現在、各国（例えば日本、アメリカ、ドイツ等）では、時刻コード即ちタイムコード入り長波標準電波が送出されている。我が国（日本）では、２つの送信所（福島県及び佐賀県）より、図１８に示すようなフォーマットのタイムコードで振幅変調した４０ｋＨｚ及び６０ｋＨｚの長波標準電波が送出されている。図１８によれば、タイムコードは、正確な時刻の分の桁が更新される毎、即ち１周期６０秒のフレームで送出されている。
【０００３】
ところで、このような標準電波を受信し、計時回路の日時データを修正する、いわゆる電波時計が実用化されている。電波時計が実際に受信する標準電波には種々のノイズが混入されるが、送信所から電波時計までの伝送過程における電波時計の外部のノイズだけでなく、電波時計内部の回路が発生する信号によりノイズが混入される場合がある。例えば、表示ドライバのような表示制御信号生成部が出力するコモン信号やセグメント信号、表示部のバックライトのＯＮ／ＯＦＦによる電気信号等により表示装置及び表示装置周辺からノイズが発生したり、ごく短い時間間隔を測定するためのクロノ機能を制御するための制御信号によってノイズが発生したりする。このため、電波時計内部で発生するノイズの混入を低減させる様々な手法が考案されてきた。
【０００４】
例えば、特許文献１によれば、標準電波を受信している間は、ノイズ発生源となるクロノ機能の動作を禁止し、クロノ機能が動作している間は、標準電波の受信を禁止する制御を行う電波修正機能付き時計が開示されている。
【０００５】
また、特許文献２によれば、本体内部を遮蔽板によって分割し、一方に送信回路と受信装置を、他方にノイズ発生源となるディジタル回路を配置する腕時計型通信装置が開示されている。
【特許文献１】特開平８−２０１５４６号公報
【特許文献２】特開平４−２１１１９８号公報
【発明の開示】
【発明が解決しようとする課題】
【０００６】
しかし、特許文献１の電波修正機能付き時計では、クロノ機能の実行又は標準電波の受信の何れか一方のみしか実行できない。
【０００７】
また、特許文献２の腕時計型通信装置では、ノイズの混入を低減させることはできるが、防止することは困難である。このため、受信信号の再生において、ノイズの影響を受ける可能性がある。また、部品や回路の配置構成に制約が生じる問題がある。
【０００８】
本発明は、上述した課題に鑑みて為されたものであり、その目的とするところは、受信装置内部の他の機器動作の実行に支障を来たすことなく、また、遮蔽板等の特別な部材を用いずに、受信装置内部で発生するノイズの影響を受けることなく受信信号の再生を可能とすることである。
【課題を解決するための手段】
【０００９】
以上の課題を解決するために、請求項１に記載の発明は、
アンテナで受信信号を受信する受信部と情報を表示する表示部とを備えている電波受信装置（例えば、図１、図２の電波受信装置６２）において、
前記表示部を表示制御するために出力されたパルス波形形状の表示制御信号のエッジ部分を検知し、このエッジ部分の発生タイミングに同期したノイズタイミング信号を出力するノイズタイミング信号出力手段（例えば、図１、図２のノイズタイミング信号生成部８６）と、
このノイズタイミング信号出力手段から出力されたノイズタイミング信号に同期して、予め定められている時間、前記受信信号を増幅させるための制御動作を一時的に停止するように制御する増幅動作停止制御手段（例えば、図２のＲＦ増幅回路６２０；図５のステップＳ１３）と、を備えていることを特徴としている。
また、請求項２に記載の発明は、請求項１記載の電波受信装置であって、
前記受信信号を増幅した信号を所定の発振信号と合成して中間周波信号に変換し、この変換された中間周波信号に基づく検波信号を出力する検波信号出力手段（例えば、図２の検波回路６２６）を更に備えていることを特徴としている。
更に、請求項３に記載の発明は、請求項２記載の電波受信装置であって、
前記増幅動作停止制御手段の制御によって前記受信信号を増幅させる制御動作が停止された信号が前記検波信号として出力された場合に、この出力された検波信号を平滑化して出力する平滑化出力手段（例えば、図２の第３フィルタ回路６２７）を更に備えていることを特徴としている。
【００１０】
請求項１〜３に記載の発明によれば、ノイズタイミング信号生成出力手段は、表示制御信号のエッジ部分の発生タイミングに同期したノイズタイミング信号を生成する。そして、当該ノイズタイミング信号に同期して、増幅動作停止制御手段は受信信号を増幅させる制御動作を所定時間停止する。このため、表示制御信号のエッジ部分で発生するノイズが混入した電波を受信したとしても、ノイズタイミング信号に同期して受信信号を増幅する制御動作が所定時間停止されるため、ノイズが混入した部分の受信信号は電波受信装置内部には伝搬されない。従って、表示制御信号のエッジ部分を発生源とするノイズによる影響を防止することができる。また、増幅された受信信号は、中間周波信号へ変換され、この中間周波信号に基づく検波信号が出力された後、平滑化出力手段によって平滑化されて出力されている。このように、受信信号を増幅する制御動作の停止によって無信号となった部分の信号が平滑化出力手段によって平滑化されるため、増幅する制御動作の停止による受信信号の再生への影響を防止することができる。
【００１１】
また、請求項４に記載の発明は、
アンテナで受信信号を受信する受信部と情報を表示する表示部とを備えている電波受信装置（例えば、図１、図８の電波受信装置６２）において、
前記表示部を表示制御するために出力されたパルス波形形状の表示制御信号のエッジ部分を検知し、このエッジ部分の発生タイミングに同期したノイズタイミング信号を出力するノイズタイミング信号出力手段（例えば、図８のノイズタイミング信号生成部８６）と、
このノイズタイミング信号出力手段から出力されたノイズタイミング信号に同期して、予め定められている時間、前記アンテナを短絡させて前記受信信号のエネルギーを放散する受信信号制御手段（例えば、図８のスイッチ回路ＳＷ）と、を備えていることを特徴としている。
また、請求項５に記載の発明は、請求項４に記載の電波受信装置において、
前記受信信号を増幅した信号を所定の発振信号と合成して中間周波信号に変換し、この変換された中間周波信号に基づく検波信号を出力する検波信号出力手段（例えば、図８の検波回路６２６）を更に備えていることを特徴としている。
更に、請求項６に記載の発明は、請求項５に記載の電波受信装置において、
前記受信信号制御手段の制御によって前記受信信号が無信号とされて前記検波信号として出力された場合に、この出力された前記検波信号を平滑化して出力する平滑化出力手段（例えば、図８の第３フィルタ回路６２７）とを備えていることを特徴としている。
【００１２】
請求項４〜６に記載の発明によれば、ノイズタイミング信号生成出力手段は、表示制御信号のエッジ部分の発生タイミングに同期したノイズタイミング信号を生成する。そして、当該ノイズタイミング信号に同期して、受信信号制御手段は、アンテナを短絡して受信信号のエネルギーを所定時間放散させる。従って、表示制御信号のエッジ部分で発生するノイズが混入した電波を受信したとしても、ノイズタイミング信号に同期して受信信号制御手段が受信信号のエネルギーを放散させるため、ノイズが混入した部分の受信信号は電波受信装置内部には伝搬されない。従って、表示制御信号を発生源とするノイズによる影響を防止することができる。
【００１３】
また、請求項７に記載の発明は、請求項４に記載の電波受信装置であって、
前記ノイズタイミング信号を平滑化して出力するノイズタイミング信号平滑化手段（例えば、図１４のローパスフィルタ６３６）を更に備え、
前記受信信号制御手段は、前記ノイズタイミング信号平滑化手段により出力された信号に基づいて、予め定められている時間、前記アンテナを短絡させて前記受信信号のエネルギーを放散する信号短絡制御手段（例えば、図１４の短絡回路６３８）を有することを特徴としている。
【００１４】
請求項７に記載の発明によれば、請求項４に記載の発明と同様の効果が得られるのは無論のこと、ノイズタイミング信号を平滑化し、この平滑化した信号に基づいて、予め定められている時間アンテナを短絡させて、受信信号のエネルギーを放散させる。これにより、ノイズタイミング信号のエッジ部分で発生するノイズを低減させることができる。従って、ノイズタイミング信号を発生源とするノイズによる影響も防止することができる。
【００１５】
また、請求項８に記載の発明は、
アンテナで受信信号を受信し利得制御信号に従った利得で増幅する受信部と情報を表示する表示部とを備えている電波受信装置（例えば、図１、図９の電波受信装置６２）において、
前記表示部を表示制御するために出力されたパルス波形形状の表示制御信号のエッジ部分を検知し、このエッジ部分の発生タイミングに同期したノイズタイミング信号を出力するノイズタイミング信号出力手段（例えば、図９のノイズタイミング信号生成部８６）と、
このノイズタイミング信号出力手段から出力されたノイズタイミング信号に同期して、予め定められている時間、前記利得制御信号から利得を減衰させる信号を出力する利得制御信号出力手段（例えば、図９のＡＧＣ回路６２８ｂ）と、を備えていることを特徴としている。
また、請求項９に記載の発明は、請求項８に記載の電波受信装置において、
前記受信信号を増幅した信号を所定の発振信号と合成して中間周波信号に変換し、この変換された中間周波信号に基づく検波信号を出力する検波信号出力手段（例えば、図９の検波回路６２６）を更に備えていることを特徴としている。
更に、請求項１０に記載の発明は、請求項９に記載の電波受信装置において、
前記利得制御信号出力制御手段の制御によって前記利得制御信号から利得を減衰させる信号が出力された場合に前記中間周波信号を検波して出力された検波信号を平滑化して出力する平滑化出力手段（例えば、図９の第３フィルタ回路）とを更に備えていることを特徴としている。
【００１６】
請求項８〜１０に記載の発明によれば、ノイズタイミング信号生成出力手段は、表示制御信号のエッジ部分の発生タイミングに同期したノイズタイミング信号を生成する。そして、当該ノイズタイミング信号に同期して利得制御信号出力手段は、利得を減衰させる利得制御信号を出力する。この利得制御信号に従った利得で受信信号は減衰されている。従って、表示制御信号のエッジ部分で発生するノイズが混入した電波を受信したとしても、ノイズタイミング信号に同期して受信信号は減衰されるため、ノイズが混入した部分の受信信号は電波受信装置内部には伝搬されない。従って、表示制御信号を発生源とするノイズによる影響を防止することができる。
【００１７】
また、請求項１１に記載の発明は、
アンテナで受信信号を受信し増幅させて検波信号を出力する受信部と情報を表示する表示部とを備えている電波受信装置（例えば、図１、図１０の電波受信装置６２）において、
前記表示部を表示制御するために出力されたパルス波形形状の表示制御信号のエッジ部分を検知し、このエッジ部分の発生タイミングに同期したノイズタイミング信号を出力するノイズタイミング信号出力手段（例えば、図１０のノイズタイミング信号生成部８６）と、
このノイズタイミング信号出力手段から出力されたノイズタイミング信号に同期して、予め定められている時間、前記検波信号から出力された信号を無信号とする信号制御手段（例えば、図１０のノイズ削除回路６２９）と、を備えていることを特徴としている。
また、請求項１２に記載の発明は、請求項１１に記載の電波受信装置において、
前記受信信号を増幅した信号を所定の発振信号と合成して中間周波信号に変換し、この変換された中間周波信号に基づく検波信号を出力する検波信号出力手段（例えば、図１０の検波回路６２６）を更に備えていることを特徴としている。
更に、請求項１３に記載の発明は、請求項１２に記載の発明において、
前記信号制御手段の制御によって前記検波信号から出力された信号が無信号とされた場合に、この出力された検波信号を平滑化して出力する平滑化出力手段（例えば、図１０の第３フィルタ回路６２７）とを更に備えていることを特徴としている。
【００１８】
請求項１１〜１３に記載の発明によれば、ノイズタイミング信号生成出力手段は、表示制御信号のエッジ部分の発生タイミングに同期したノイズタイミング信号を生成する。そして、当該ノイズタイミング信号に同期して、信号制御手段は検波信号を無信号として出力する。従って、表示制御信号のエッジ部分で発生するノイズが混入した電波を受信したとしても、ノイズタイミング信号に同期して信号制御手段が検波信号を無信号とするため、ノイズが混入した部分の受信信号は電波受信装置内部には伝搬されない。従って、表示制御信号を発生源とするノイズによる影響を防止することができる。
【００１９】
また、請求項１４に記載の発明は、
アンテナで受信した受信信号を増幅した信号を所定の発振信号と合成して中間周波信号に変換し検波信号として出力する受信部と情報を表示する表示部とを備えている電波受信装置（例えば、図１、図１３の電波受信装置６２）において、
前記表示部を表示制御するために出力されたパルス波形形状の表示制御信号のエッジ部分を検知し、このエッジ部分の発生タイミングに同期したノイズタイミング信号を出力するノイズタイミング信号出力手段（例えば、図１３のノイズタイミング信号生成部８６）と、
このノイズタイミング信号出力手段から出力されたノイズタイミング信号に同期して、予め定められている時間、前記中間周波信号を無信号とする中間周波信号制御手段（例えば、図１３のノイズ削除回路６２９ａ）と、を備えていることを特徴としている。
更に、請求項１５に記載の発明は、請求項１４に記載の電波受信装置において、
前期中間周波信号制御手段の制御によって前記中間周波信号が無信号とされた場合に前記中間周波信号を検波して出力された検波信号を平滑化して出力する平滑化出力手段（例えば、図１３の第３フィルタ回路６２７）とを更に備えていることを特徴としている。
【００２０】
請求項１４乃至請求項１５に記載の発明によれば、ノイズタイミング信号生成出力手段は、表示制御信号のエッジ部分の発生タイミングに同期したノイズタイミング信号を生成する。そして、中間周波信号制御手段は、当該ノイズタイミング信号に同期して中間周波信号を無信号として出力する。従って、表示制御信号のエッジ部分で発生するノイズが混入した電波を受信したとしても、ノイズタイミング信号に同期して中間周波信号制御手段が中間周波信号を無信号とするため、ノイズが混入した部分の受信信号は電波受信装置内部には伝搬されない。従って、表示制御信号を発生源とするノイズによる影響を防止することができる。
【００２１】
また、請求項１６に記載の発明は、
請求項１〜１５の何れか一項に記載の電波受信装置であって、
表示部を表示制御するためのパルス波形形状の表示制御信号を生成する表示制御信号生成手段（例えば、図１の表示制御信号生成部８０）と、
この表示制御制御信号生成手段によって生成された表示制御信号による表示制御を、予め定められている時間遅延させる時間遅延制御手段（例えば、図１の遅延回路部８２）を更に備えたことを特徴とする。
【００２２】
請求項１６に記載の発明によれば、請求項１〜１５の何れか一項に記載の発明と同様の効果が得られるのは無論のこと、表示制御信号生成手段によって生成された表示制御信号による表示部の表示制御を所定時間遅延させることができる。従って、時間遅延制御手段の与える遅延時間によって、表示手段の表示動作よりも早く、ノイズタイミング信号生成出力手段はノイズタイミング信号を生成する。このため、表示制御手段の動作によって生じるノイズの混入を確実に防止できる。
【００２３】
また、請求項１７に記載の電波時計は、
請求項１〜１６の何れか一項に記載の電波受信装置と、
この電波受信装置から出力される信号に含まれる標準電波信号に基づいて標準タイムコードを生成するタイムコード生成手段（例えば、図１のタイムコード変換部７０）と、
現在時刻を計数する時刻計数手段（例えば、図１の計時回路部５０）と、
前記タイムコード生成手段によって生成された標準タイムコードに基づいて前記時刻計数手段で計数される現在時刻データを修正する修正手段（例えば、図１のＣＰＵ１０）と、を備えたことを特徴としている。
【００２４】
請求項１７に記載の発明によれば、請求項１〜１６の何れか一項に記載の発明と同様の効果が得られる電波時計を実現できる。
【００２５】
また、請求項１８に記載の中継器は、
請求項１〜１６の何れか一項に記載の電波受信装置と、
この電波受信装置から出力される信号に含まれる標準電波信号に基づいて標準タイムコードを生成するタイムコード生成手段（例えば、図１６のタイムコード変換部７０）と、
このタイムコード生成手段によって生成された標準タイムコードを送信する送信手段（例えば、図１６の送信部１００）と、
を備えたことを特徴としている。
【００２６】
請求項１８に記載の発明によれば、請求項１〜１６の何れか一項に記載の発明と同様の効果が得られる中継器を実現できる。
【発明の効果】
【００２７】
請求項１〜３に記載の発明によれば、ノイズタイミング信号生成出力手段は、表示制御信号のエッジ部分の発生タイミングに同期したノイズタイミング信号を生成する。そして、当該ノイズタイミング信号に同期して、増幅動作停止制御手段は受信信号を増幅させる制御動作を所定時間停止する。このため、表示制御信号のエッジ部分で発生するノイズが混入した電波を受信したとしても、ノイズタイミング信号に同期して受信信号を増幅する制御動作が所定時間停止されるため、ノイズが混入した部分の受信信号は電波受信装置内部には伝搬されない。従って、表示制御信号を発生源とするノイズによる影響を防止することができる。また、増幅された受信信号は、中間周波信号へ変換され、この中間周波信号に基づく検波信号が出力された後、平滑化出力手段によって平滑化されて出力されている。このように、受信信号を増幅する制御動作の停止によって無信号となった部分の信号が平滑化出力手段によって平滑化されるため、増幅する制御動作の停止による受信信号の再生への影響を防止することができる。
【００２８】
請求項４〜６に記載の発明によれば、ノイズタイミング信号生成出力手段は、表示制御信号のエッジ部分の発生タイミングに同期したノイズタイミング信号を生成する。そして、当該ノイズタイミング信号に基づいて、受信信号制御手段は、アンテナを短絡して受信信号のエネルギーを所定時間放散させる。従って、表示制御信号のエッジ部分で発生するノイズが混入した電波を受信したとしても、ノイズタイミング信号に同期して受信信号制御手段が受信信号のエネルギーを放散させるため、ノイズが混入した部分の受信信号は電波受信装置内部には伝搬されない。従って、表示制御信号を発生源とするノイズによる影響を防止することができる。
【００２９】
請求項７に記載の発明によれば、ノイズタイミング信号を平滑化し、この平滑化した信号に基づいて、予め定められている時間アンテナを短絡させて、受信信号のエネルギーを放散させる。これにより、ノイズタイミング信号のエッジ部分で発生するノイズを低減させることができる。従って、ノイズタイミング信号を発生源とするノイズによる影響も防止することができる。
【００３０】
請求項８〜１０に記載の発明によれば、ノイズタイミング信号生成出力手段は、表示制御信号のエッジ部分の発生タイミングに同期したノイズタイミング信号を生成する。そして、当該ノイズタイミング信号に同期して利得制御信号出力手段は、利得を減衰させる利得制御信号を出力する。この利得制御信号に従った利得で受信信号は減衰されている。従って、表示制御信号のエッジ部分で発生するノイズが混入した電波を受信したとしても、ノイズタイミング信号に同期して受信信号は減衰されるため、ノイズが混入した部分の受信信号は電波受信装置内部には伝搬されない。従って、表示制御信号を発生源とするノイズによる影響を防止することができる。
【００３１】
請求項１１〜１３に記載の発明によれば、ノイズタイミング信号生成出力手段は、表示制御信号のエッジ部分の発生タイミングに同期したノイズタイミング信号を生成する。そして、当該ノイズタイミング信号に同期して、信号制御手段は検波信号を無信号として出力する。従って、表示制御信号のエッジ部分で発生するノイズが混入した電波を受信したとしても、ノイズタイミング信号に同期して信号制御手段が検波信号を無信号とするため、ノイズが混入した部分の受信信号は電波受信装置内部には伝搬されない。従って、表示制御信号を発生源とするノイズによる影響を防止することができる。
【００３２】
請求項１４乃至請求項１５に記載の発明によれば、ノイズタイミング信号生成出力手段は、表示制御信号のエッジ部分の発生タイミングに同期したノイズタイミング信号を生成する。そして、中間周波信号制御手段は、当該ノイズタイミング信号に同期して中間周波信号を無信号として出力する。従って、表示制御信号のエッジ部分で発生するノイズが混入した電波を受信したとしても、ノイズタイミング信号に同期して中間周波信号制御手段が中間周波信号を無信号とするため、ノイズが混入した部分の受信信号は電波受信装置内部には伝搬されない。従って、表示制御信号を発生源とするノイズによる影響を防止することができる。
【００３３】
請求項１６に記載の発明によれば、表示制御信号生成手段によって生成された表示制御信号による表示部の表示制御を所定時間遅延させる。従って、時間遅延制御手段の与える遅延時間によって、表示手段の実際の動作よりも早く、ノイズタイミング信号生成出力手段はノイズタイミング信号を生成する。このため、表示制御手段の動作によって生じるノイズの混入を確実に防止できる。
【００３４】
請求項１７に記載の発明によれば、請求項１〜１６の何れか一項に記載の発明と同様の効果が得られる電波時計を実現できる。
【００３５】
請求項１８に記載の発明によれば、請求項１〜１６の何れか一項に記載の発明と同様の効果が得られる中継器を実現できる。
【発明を実施するための最良の形態】
【００３６】
以下、本発明を実施するための最良の形態について図１〜図１７を用いて説明する。また、以下の実施形態においては、本発明を適用した電波時計及び中継器を例にとって説明するが、その他、電波を受信するための装置であれば、本発明を適宜適用可能である。
【００３７】
図１は、本発明を適用した電波時計１の回路構成の一例を示すブロック図である。同図によれば、電波時計１は、ＣＰＵ（Central Processing Unit）１０、ＲＡＭ（Random Access Memory）２０、ＲＯＭ（Read Only Memory）３０、入力部４０、計時回路部５０、発振回路部５２及び電波受信装置６２を備えて構成される。また、電波受信装置６２は、受信制御部６０、タイムコード変換部７０、表示装置８８及びノイズタイミング信号生成部８６を備えて構成されており、発振回路部５２及びノイズタイミング信号生成部８６を除く各部はバス９０によって接続されている。
【００３８】
ＣＰＵ１０は、所定のタイミング或いは入力部４０から入力された操作信号に応じて、ＲＯＭ３０内に格納された各種プログラムを読み出してＲＡＭ２０内に展開し、当該プログラムに基づいて各機能部への指示やデータの転送等を行う。特に、ＣＰＵ１０は、例えば所定時間毎に受信制御部６０を制御して標準電波の受信処理を実行し、タイムコード変換部７０から入力された標準タイムコードに基づいて計時回路部５０で計数される現在時刻データを修正するとともに、当該修正したタイムコードにもとづく表示データを表示制御信号生成部８０に出力して表示装置８８に表示させる表示時刻を更新させる等の各種制御を行う。
【００３９】
ＲＡＭ２０は、ＣＰＵ１０の制御の下、ＣＰＵ１０で処理されたデータを記憶するとともに、記憶しているデータをＣＰＵ１０に出力するために用いられる。ＲＯＭ３０は、主に、電波時計１に係るシステムプログラムやアプリケーションプログラム等を記憶する。
【００４０】
入力部４０は、電波時計１に各種機能を実行させるためのスイッチ等で構成される。そして、これらのスイッチが操作された時には、対応するスイッチの操作信号がＣＰＵ１０に出力される。
【００４１】
計時回路部５０は、発振回路部５２から入力される信号を計数して現在時刻データ等を得る。そして、当該現在時刻データをＣＰＵ１０に出力する。発振回路部５２は、常時一定周波数の信号を出力する回路である。
【００４２】
受信制御部６０は、アンテナで受信した標準電波の不要な周波数成分をカットして該当する周波数信号を取り出し、この周波数信号を検波して時刻補正信号ｈとしてタイムコード変換部７０に出力する。
【００４３】
タイムコード変換部７０は、受信制御部６０から出力された時刻補正信号ｈに基づいて、標準時刻コード、積算日コード及び曜日コード等の時計機能に必要なデータを含む標準タイムコードを生成して、ＣＰＵ１０に出力する。
【００４４】
表示装置８８は、例えば、セグメント型ディスプレイ等により構成され、表示制御信号生成部８０と、遅延回路部８２とを備えて構成される。尚、表示装置８８は、ＬＣＤ（Liquid Crystal Display）等の小型液晶ディスプレイ等により構成されるとしてもよい。
【００４５】
表示制御信号生成部８０は、ＣＰＵ１０から表示装置８８に入力される表示データを制御して各種画面を表示させる。また、表示制御信号生成部８０は、例えば、セグメント信号やコモン信号等から成る液晶駆動信号の表示制御信号ａをノイズタイミング信号生成部８６に出力する。
【００４６】
図４（ａ）は、液晶駆動信号を一例とした表示制御信号ａの波形を示す図である。同図によれば、表示制御信号ａは、表示装置８８を駆動制御するための制御信号として一定時間単位に変位するパルス波形の信号である。
【００４７】
遅延回路部８２は、インバータ素子等によって構成され、例えば、表示制御信号生成部８０が生成した表示制御信号ａの伝搬を、所定の時間遅延させて表示装置８８内部の液晶駆動回路部（図示せず）に出力するといった制御により、表示制御信号生成部８０による表示装置８８の制御を、所定の時間遅延させる。遅延回路部８２が付加する遅延時間によって、電波受信装置６２は、エッジパルス信号ｂ（後述する）を元に受信信号を無信号とするタイミングと、表示制御信号ａに同期するように表示装置８８及び表示装置８８周辺で発生するノイズの発生タイミングとの同期をとる。尚、遅延回路部８２を備えずに、表示装置８８を構成することとしてもよい。
【００４８】
ノイズタイミング信号生成部８６は、表示制御信号生成部８０から入力される表示制御信号ａのエッジ部分を検知して、エッジ部分の発生タイミングに同期したエッジパルス信号ｂを生成し、受信制御部６０に出力する。
【００４９】
図４（ｂ）は、エッジパルス信号ｂの波形を示す図である。同図によれば、エッジパルス信号ｂは、図４（ａ）に示す表示制御信号ａのパルス波形に比較してＯＮ時間が短いインパルス状の波形として生成される。また、エッジパルス信号ｂのパルス幅Ｐｗは、例えば、表示制御信号ａのエッジ部分に同期するように発生するノイズ信号（高周波信号）ｃの振幅が所定割合（例えば約２０％）に収まるまでの時間（時刻ｔ１からｔ２までの経過時間）に相当する。尚、このパルス幅Ｐｗは好適な値に適宜設定してよい。
【００５０】
〔実施形態１〕
次に、電波時計１の実施形態１について説明する。
図２は、実施形態１における、スーパーへテロダイン方式を用いた電波受信装置６２の回路構成の一例を示すブロック図である。同図によれば、受信制御部６０は、アンテナＡＮＴ、ＲＦ増幅回路６２０、第１フィルタ回路６２１、周波数変換回路６２２、局部発振回路６２３、第２フィルタ回路６２４、ＩＦ増幅回路６２５、検波回路６２６、第３フィルタ回路６２７及びＡＧＣ（Auto Gain Control）回路６２８を備えて構成される。
【００５１】
アンテナＡＮＴは、バーアンテナ等によって構成される。アンテナＡＮＴは、標準電波ｄを受信して、受信した電波を電気信号（以下、「受信信号」ｅという。）に変換して、ＲＦ増幅回路６２０へ出力する。
【００５２】
ＲＦ増幅回路６２０には、アンテナＡＮＴによって出力された受信信号ｅと、ＡＧＣ回路６２８によって出力されたＲＦ制御信号ｋ１と、ノイズタイミング信号生成部８６によって出力されたエッジパルス信号ｂとが入力される。ＲＦ増幅回路６２０は、受信信号ｅを、ＲＦ制御信号ｋ１に応じた増幅度で増幅（或いは減衰）し、第１フィルタ回路６２１へ出力する。
【００５３】
また、ＲＦ増幅回路６２０は、エッジパルス信号ｂを検出すると、検出したエッジパルス信号ｂに同期してエッジパルス信号ｂのＯＮ時間、即ちパルス幅Ｐｗに相当する時間の間、信号の出力動作を停止する。従って、ＲＦ増幅回路６２０の出力信号（以下、「間欠信号」ｆという。）は、エッジパルス信号ｂに同期した時間の間、無信号状態として出力される。
【００５４】
第１フィルタ回路６２１は、ローパスフィルタ等によって構成される。第１フィルタ回路６２１には、ＲＦ増幅回路６２０によって出力された間欠信号ｆが入力される。そして、第１フィルタ回路６２１は、入力された間欠信号ｆに対して所定の範囲の周波数を通過させ、範囲外の周波数成分を遮断して出力する。
【００５５】
周波数変換回路６２２には、第１フィルタ回路６２１によって出力された信号と局部発振回路６２３から出力された局部発振周波数の信号とが入力される。そして、周波数変換回路６２２は、入力された２つの信号を合成して、第１フィルタ回路６２１から入力された信号を中間周波数に変換して出力する。
【００５６】
第２フィルタ回路６２４は、バンドパスフィルタ等によって構成される。第２フィルタ回路６２４には、周波数変換回路６２２から出力された信号が入力される。そして、入力された信号に対して中間周波数を中心として所定の範囲の周波数を通過させ、範囲外の周波数成分を遮断して出力する。
【００５７】
ＩＦ増幅回路６２５には、第２フィルタ回路６２４から出力された信号と、ＡＧＣ回路６２８によって出力されたＩＦ制御信号ｋ２とが入力される。ＩＦ増幅回路６２５は、第２フィルタ回路６２４から入力された信号を、ＩＦ制御信号ｋ２に応じた増幅度で増幅（或いは減衰）し、中間周波信号ｉｆとして検波回路６２６に出力する。
【００５８】
検波回路６２６は、例えばＰＬＬ（Phase Locked Loop）回路等によって同期検波されるが、包絡線検波やピーク検波等の検波方法によっても実現可能である。検波回路６２６には、ＩＦ増幅回路６２５によって出力される中間周波信号ｉｆが入力され、当該中間周波信号ｉｆを検波して検波信号ｇを第３フィルタ回路６２７とＡＧＣ回路６２８へ出力する。
【００５９】
第３フィルタ回路６２７は、時定数の充分大きなローパスフィルタ等によって構成される。第３フィルタ回路６２７には、検波回路６２６によって出力された検波信号ｇが入力される。そして、第３フィルタ回路６２７は、入力された検波信号ｇを平滑化して、時刻補正信号ｈとしてタイムコード変換部７０へ出力する。
【００６０】
ＡＧＣ回路６２８には、検波回路６２６によって出力された検波信号ｇが入力される。ここで、ＡＧＣ回路６２８にＩＦ増幅回路６２５が出力する中間周波信号ｉｆを入力してＡＧＣ検波を行う構成としても良い。
ＡＧＣ回路６２８は、検波信号ｇの強弱（信号レベルの大きさ）に従って、ＲＦ増幅回路６２０及びＩＦ増幅回路６２５にそれぞれの増幅度を調整する利得制御用信号としてＲＦ制御信号ｋ１及びＩＦ制御信号ｋ２を出力する。ここで、ＲＦ増幅回路６２０及びＩＦ増幅回路６２５の増幅度は、アンテナＡＮＴが受信した電波の強度に応じて調整される。例えば、ＡＧＣ回路６２８は、先ずＩＦ制御信号ｋ２によってＩＦ増幅回路６２５の増幅度を制御する。しかし、ＩＦ増幅回路６２５に入力される信号のレベルが大きく、ＩＦ増幅回路６２５における減衰度が足りない場合には、ＲＦ制御信号ｋ１によってＲＦ増幅回路６２０の増幅度も調整するようにする。
【００６１】
次に、電波時計１の電波受信処理を各信号の概略波形と合わせて説明する。
先ず、表示制御信号生成部８０は、表示装置８８の駆動を制御するための表示制御信号ａ（図４（ａ））を生成するが、遅延回路部８２が、表示装置８８内の各部への表示制御信号ａの印加を所定時間遅延させて、表示装置８８の駆動を所定時間遅らせる。また、表示制御信号ａは、ノイズタイミング信号生成部６８に出力される。
【００６２】
ノイズタイミング信号生成部８６は、入力された表示制御信号ａからエッジパルス信号ｂ（図４（ｂ））を生成する。具体的なノイズタイミング信号生成部８６の処理を、図３に示すフローチャートと、図４に示す各信号の概略波形を用いて説明する。
【００６３】
ノイズタイミング信号生成部８６は、表示制御信号生成部８０によって出力される表示制御信号ａ（図４（ａ））が入力されると（ステップＳ１）、表示制御信号ａのエッジ部分（立ち上がりエッジ及び立下りエッジであり、例えば、図４（ａ）に示す時刻ｔ１、ｔ３に対応する部分）を検出する（ステップＳ３）。
【００６４】
次いで、表示制御信号ａのエッジ部分に同期するエッジパルス信号ｂ（図４（ｂ））を所定のパルス幅Ｐｗで生成し（ステップＳ５）、ＲＦ増幅回路６２０へ出力する（ステップＳ７）。図４（ｃ）は、表示制御信号ａに同期するように表示装置８８及びこの表示装置８８周辺で発生するノイズ信号ｃの波形であり、パルス幅Ｐｗは、図４（ｃ）に示すノイズ信号ｃの時刻ｔ１から時刻ｔ２までの経過時間に相当する。
【００６５】
標準電波ｄの理想的な波形の概形を図６（ａ）に示す。この標準電波ｄに対して、アンテナＡＮＴによって受信される受信信号ｅの波形の概形は図６（ｂ）に示すようなものである。受信信号ｅには、ノイズ信号ｃ（図４（ｃ）参照）が混入し、重畳されている。
【００６６】
ＲＦ増幅回路６２０は、ノイズ混入された状態の受信信号ｅをＲＦ制御信号ｋ１に応じた増幅度で増幅するとともに、エッジパルス信号ｂに同期させて回路の動作を一定時間一時的に停止する。具体的なＲＦ増幅回路６２０の動作を、図５に示すフローチャートと、図６に示す各信号の概略波形を用いて説明する。
【００６７】
ＲＦ増幅回路６２０は、エッジパルス信号ｂ（図６（ｃ））を検出すると（ステップＳ１１：Ｙｅｓ）、エッジパルス信号ｂのパルス幅Ｐｗに相当する時間の間、回路の動作を停止する（ステップＳ１３）。そして、回路の動作を停止した間の無信号状態を含んだ信号を間欠信号ｆ（図６（ｄ））として第１フィルタ回路６２１へ出力する（ステップＳ１５）。
【００６８】
また、ステップＳ１１において、エッジパルス信号ｂを検出しなかった場合は（ステップＳ１１：Ｎｏ）、ＲＦ制御信号ｋ１に応じて受信信号ｅを増幅（或いは減衰）し（ステップＳ１７）、間欠信号ｆとして第１フィルタ回路６２１へ出力する（ステップＳ１５）。
【００６９】
図６（ｄ）は、ＲＦ増幅回路６２０が出力する間欠信号ｆの概略波形である。同図によれば、エッジパルス信号ｂのパルス幅Ｐｗに相当する時間の間、即ち時刻ｔ１から時刻ｔ２の間と時刻ｔ３から時刻ｔ４の間は、受信信号ｅのノイズ部分（図６（ｂ）の時刻ｔ１から時刻ｔ２の部分、時刻ｔ３から時刻ｔ４の部分）が、ＲＦ増幅回路６２０の動作停止により無信号状態となる。
【００７０】
第１フィルタ回路６２１は、入力された間欠信号ｆの所定の範囲の周波数を通過させ、範囲外の周波数成分を遮断して周波数変換回路６２２へ出力する。
【００７１】
周波数変換回路６２２は、第１フィルタ回路から入力された信号と、局部発振回路６２３から入力される局部発振周波数の信号とを合成し、中間周波数に変換して第２フィルタ回路６２４へ出力する。
【００７２】
第２フィルタ回路６２４は、周波数変換回路６２２から入力された信号に対して中間周波数を中心として所定の範囲の周波数を通過させ、範囲外の周波数成分を遮断してＩＦ増幅回路６２５へ出力する。
【００７３】
ＩＦ増幅回路６２５は、入力された信号をＩＦ制御信号ｋ２に応じた増幅度で増幅し、中間周波信号ｉｆとして検波回路６２６に出力する。
【００７４】
検波回路６２６は、入力された中間周波信号ｉｆを検波し、検波信号ｇを出力する。具体的には、中間周波信号ｉｆから振幅成分であるベースバンド信号（図６（ｄ）に示す間欠信号ｆ（中間周波信号ｉｆ）の外縁ｊ）を検出する。そして、中間周波信号ｉｆの振幅成分の正成分（中心線Ｌ１の上方）、または、負成分（中心線Ｌ１の下方）、或いは、正成分の絶対値と負成分の絶対値の和を検波信号ｇ（図７（ａ）参照）として第３フィルタ回路６２７へ出力する。
【００７５】
第３フィルタ回路６２７は、入力された検波信号ｇを平滑化する処理を行い、タイムコード変換部７０へ出力する。図７（ａ）は、検波信号ｇの波形の概形を示し、図７（ｂ）は、第３フィルタ回路６２７が出力する時刻補正信号ｈの波形の概形を示す図である。図７（ｂ）によれば、第３フィルタ回路６２７の時定数が充分に大きいため、時刻ｔ１から時刻ｔ２の間等の無信号状態となる波形部分は平滑化される。
【００７６】
以上、実施形態１によれば、表示制御信号生成部８０が出力する表示制御信号ａに基づいて、ノイズタイミング信号生成部８６はエッジパルス信号ｂを生成する。そして、エッジパルス信号ｂを入力されたＲＦ増幅回路６２０は、エッジパルス信号ｂに同期して回路の動作を一定時間停止する。従って、表示装置８８及びこの表示装置８８周辺で発生するノイズ信号ｃが、アンテナＡＮＴから混入したとしても、ＲＦ増幅回路６２０の一定時間の停止によって、ノイズ信号ｃが混入した部分はＲＦ増幅回路６２０より後段の回路へ伝搬されない。このため、ノイズ信号ｃが混入した部分の信号は、電波受信装置６２が最終的に出力する検波信号ｇには含まれず、本体内部から発生するノイズによる受信の劣化を防止することができる。
【００７７】
また、ＲＦ増幅回路６２０によって出力された間欠信号ｆは、各種処理が行われて中間周波信号ｉｆとして検波回路６２６に入力される。そして、検波回路６２６は、入力された中間周波信号ｉｆをもとに検波信号ｇ（ベースバンド信号）を出力し、第３フィルタ回路６２７は、入力された検波信号ｇを平滑化する処理を行う。従って、ＲＦ増幅回路６２０の一定時間の動作停止による無信号状態を検波信号ｇは含んでいるが、第３フィルタ回路６２７による平滑化によって当該無信号部分をその前後の信号に合わせて補正することができる。
【００７８】
更に、時刻補正信号ｈは、検波信号ｇに比較して信号レベルが低下するが、Ｓ／Ｎ比の劣化はほとんどなく、時刻補正信号ｈに含まれる日時データの再生を行うことに影響はない。
【００７９】
また、遅延回路部８２は、表示制御信号ａによる表示装置８８の制御を所定時間遅延させる。換言すると、遅延回路部８２により、表示制御信号ａは、当該信号による表示装置８８の制御よりも早くノイズタイミング信号生成部８６に入力される。従って、遅延回路部８２が与える遅延時間によって、表示装置８８の実際の回路動作に先んじて、ノイズタイミング信号生成部８６がエッジパルス信号ｂを生成することができる。このため、表示制御信号生成部８０の回路動作によって生じるノイズの混入をより確実に防止できる。
【００８０】
尚、実施形態１において、エッジパルス信号ｂによって動作を制御する回路をＲＦ増幅回路６２０としたが、これに限られたものではなく、適宜変更可能である。以下に、エッジパルス信号ｂによって動作を制御する回路を、スイッチ回路ＳＷとＡＧＣ回路６２８ｂとにした場合の変形例をそれぞれ説明する。
【００８１】
（変形例１）
実施形態１の電波時計１の変形例１を説明する。変形例１における電波時計１は、図１に示した実施形態１の受信制御部６０を受信制御部６０ａに置き換えた構成である。
【００８２】
図８は、変形例１における電波受信装置６２の回路構成の一例を示すブロック図である。変形例１における受信制御部６０ａは、図２のアンテナＡＮＴとＲＦ増幅回路６２０との間にスイッチ回路ＳＷを設けて短絡させるようにした構成と同様である。更に、ノイズタイミング信号生成部８６が出力するエッジパルス信号ｂは、スイッチ回路ＳＷへ出力される。尚、実施形態１において図２に示して説明した電波受信装置６２と同一の構成要素には同一の符号を付してその説明を省略する。
【００８３】
図８によれば、ノイズタイミング信号生成部８６は、エッジパルス信号ｂをスイッチ回路ＳＷに出力する。スイッチ回路ＳＷは通常はＯＦＦ状態となっているが、エッジパルス信号ｂを検出すると、このエッジパルス信号ｂに同期した時間、即ちパルス幅Ｐｗに相当する時間の間、スイッチ回路ＳＷはＯＮ状態となる。
【００８４】
以上、変形例１によれば、ノイズタイミング信号生成部８６が出力するエッジパルス信号ｂがスイッチ回路ＳＷに入力される。そして、スイッチ回路ＳＷは、エッジパルス信号ｂのパルス幅Ｐｗに同期してＯＮ状態となる。従って、表示装置８８及びこの表示装置８８周辺で発生するノイズ信号ｃが、アンテナＡＮＴから混入したとしても、スイッチ回路ＳＷのＯＮ状態への切り替えによって、アンテナＡＮＴとＲＦ増幅回路６２０の間が短絡される。これにより、アンテナＡＮＴに混入したノイズ信号ｃのエネルギーは放散されＲＦ増幅回路６２０より後段の回路へ伝搬することを防ぐことができ、実施形態１と同様の効果が得られる。
【００８５】
（変形例２）
次に、実施形態１の電波時計１の変形例２を説明する。変形例２における電波時計１は、図１に示した実施形態１の受信制御部６０を受信制御部６０ｂに置き換えた構成である。
【００８６】
図９は、変形例２における電波受信装置６２の回路構成の一例を示すブロック図である。変形例２における受信制御部６０ｂは、図２のＡＧＣ回路６２８をＡＧＣ回路６２８ｂに置き換えた構成である。更に、ノイズタイミング信号生成部８６が出力するエッジパルス信号ｂは、ＡＧＣ回路６２８ｂへ出力される。尚、実施形態１において図２に示して説明した電波受信装置６２と同一の構成要素には同一の符号を付してその説明を省略する。
【００８７】
図９によれば、ノイズタイミング信号生成部８６は、エッジパルス信号ｂをＡＧＣ回路６２８ｂに出力する。
【００８８】
ＡＧＣ回路６２８ｂは、実施形態１と同様の動作を行うとともに、エッジパルス信号ｂを検出すると、このエッジパルス信号ｂに同期してエッジパルス信号ｂのＯＮ時間、即ちパルス幅Ｐｗに相当する時間の間、ＲＦ制御信号ｋ１及びＩＦ制御信号ｋ２に代えて、ＲＦ制御信号ｋ３及びＩＦ制御信号ｋ４を出力する。ＲＦ制御信号ｋ３及びＩＦ制御信号ｋ４は、ＲＦ増幅回路６２０及びＩＦ増幅回路６２５の出力信号を減衰させる。ＲＦ増幅回路６２０及びＩＦ増幅回路６２５は、それぞれＲＦ制御信号ｋ３及びＩＦ制御信号ｋ４に従った減衰度で、入力信号を減衰させて出力する。
【００８９】
以上、変形例２によれば、表示装置８８及び表示装置８８周辺で発生するノイズ信号ｃが、アンテナＡＮＴから混入したとしても、ＲＦ増幅回路６２０及びＩＦ増幅回路６２５によって、ノイズ信号ｃが混入した部分の標準電波ｄが減衰されるため、実施形態１と同様の効果を得ることができる。
【００９０】
〔実施形態２〕
次に、本発明を適用した電波時計１の実施形態２について説明する。実施形態２における電波時計１は、図１に示した実施形態１の受信制御部６０を受信制御部６０ｃに置き換えた構成である。
【００９１】
図１０は、実施形態２における電波受信装置６２の回路構成の一例を示すブロック図である。実施形態２における受信制御部６０ｃは、図２に示した実施形態１の検波回路６２６と第３フィルタ回路６２７との間にノイズ削除回路６２９を設けた構成である。更に、ノイズタイミング信号生成部８６が出力するエッジパルス信号ｂは、ノイズ削除回路６２９へ出力される。尚、実施形態１において図２に示して説明した電波受信装置６２と同一の構成要素には同一の符号を付してその説明を省略する。
【００９２】
実施形態１と同様に表示制御信号生成部８０は、表示制御信号ａをノイズタイミング信号生成部８６に出力する。アンテナＡＮＴは、受信信号ｅを受信する。この受信信号ｅには、ノイズ信号ｃが混入し重畳され、この受信信号ｅをアンテナＡＮＴは、電気信号に変換してＲＦ増幅回路６２０に出力する。ＲＦ増幅回路６２０は、入力された受信信号ｅをＲＦ制御信号ｋ１に応じた増幅度で増幅し第１フィルタ回路６２１へ出力する。
【００９３】
ＩＦ増幅回路６２５は、第２フィルタ回路６２４によって入力された信号をＩＦ制御信号ｋ２に応じた増幅度で増幅し、中間周波信号ｉｆ１として検波回路６２６に出力する。
【００９４】
検波回路６２６は、入力された中間周波信号ｉｆ１を検波し、検波信号ｉを出力する。具体的には、中間周波信号ｉｆ１から振幅成分であるベースバンド信号（図６（ｂ）に示す受信信号ｅ（中間周波信号ｉｆ１）の外縁ｌ）を検出する。また、中間周波信号ｉｆ１の振幅成分の正成分（中心線Ｌ２の上方）、または、負成分（中心線Ｌ２の下方）、或いは、正成分と負成分の絶対値の和を検波信号ｉ（図１２参照）としてノイズ削除回路６２９へ出力する。
【００９５】
ノイズ削除回路６２９は、ノイズタイミング信号生成部８６から入力されるエッジパルス信号ｂに同期させて検波回路６２６から入力される検波信号ｉを一定時間無信号として出力する。具体的なノイズ削除回路６２９の処理を、図１１のフローチャートと、図１２の信号の概略波形を用いて説明する。
【００９６】
先ず、ノイズ削除回路６２９は、ノイズタイミング信号生成部８６から入力されるエッジパルス信号ｂ（図６（ｃ））を検出すると（ステップＳ２１：Ｙｅｓ）、エッジパルス信号ｂに同期してエッジパルス信号ｂのＯＮ時間、即ちパルス幅Ｐｗに相当する時間の間、検波信号ｉを無信号とする（ステップＳ２３）。具体的には、図１２に示す時刻ｔ１から時刻ｔ２、時刻ｔ３から時刻ｔ４の間の信号を無信号とする。そして、検波信号ｉの無信号とした部分を含んだ信号を検波信号ｇ（図７（ａ））として第３フィルタ回路６２７へ出力する（ステップＳ２５）。
【００９７】
また、ステップＳ２１において、エッジパルス信号ｂを検出しなかった場合は（ステップＳ２１：Ｎｏ）、そのまま検波信号ｇとして第３フィルタ回路６２７へ出力する（ステップＳ２５）。
【００９８】
第３フィルタ回路６２７は、実施形態１と同様に入力された検波信号ｇを平滑化する処理を行い、時刻補正信号ｈ（図７（ｂ））としてタイムコード変換部７０へ出力する。
【００９９】
以上、実施形態２によれば、ノイズ削除回路６２９は、エッジパルス信号ｂが入力され、エッジパルス信号ｂに同期して、検波信号ｉは無信号として出力する。従って、表示装置８８及び表示装置８８周辺で発生するノイズ信号ｃが、アンテナＡＮＴから混入したとしても、ノイズ信号ｃが混入した部分の標準電波ｄを、ノイズ削除回路６２９によって無信号状態とすることができ、実施形態１と同様の効果を得ることができる。
【０１００】
尚、実施形態２において、ノイズ削除回路６２９は、検波回路６２６と第３フィルタ回路６２７との間に設けられたが、これに限られたものではなく、適宜変更可能である。以下に、ノイズ削除回路６２９をノイズ削除回路６２９ａに置き換え、更にＩＦ増幅回路６２５と検波回路６２６との間に設けた場合の変形例３を説明する。
【０１０１】
（変形例３）
図１３は、変形例３における電波受信装置６２の回路構成の一例を示すブロック図である。変形例３における受信制御部６０dは、図１０のノイズ削除回路６２９をノイズ削除回路６２９ａに置き換え、更に、ノイズ削除回路６２９ａをＩＦ増幅回路６２５と検波回路６２６との間に設けた構成である。また、ノイズタイミング信号生成部８６は、エッジパルス信号ｂをノイズ削除回路６２９ａへ出力する。尚、実施形態２において図１０に示して説明した電波受信装置６２と同一の構成要素には同一の符号を付してその説明を省略する。
【０１０２】
図１３によれば、変形例３の特徴であるノイズ削除回路６２９ａには、ＩＦ増幅回路６２５とノイズタイミング信号生成部８６との出力信号が入力される。更に、ノイズ削除回路６２９ａの出力信号である間欠信号ｆは、検波回路６２６に出力される。
【０１０３】
具体的には、ノイズ削除回路６２９ａは、ノイズタイミング信号生成部８６が出力するエッジパルス信号ｂを検出すると、エッジパルス信号ｂに同期してエッジパルス信号ｂのＯＮ時間、即ちパルス幅Ｐｗに相当する時間の間、中間周波信号ｉｆ１を無信号とする。そして、中間周波信号ｉｆ１の無信号とした部分を含めて間欠信号ｆとして検波回路６２６へ出力する。検波回路６２６は、入力された間欠信号ｆを検波し、検波信号ｇを第３フィルタ回路６２７と、ＡＧＣ回路６２８とへ出力する。
【０１０４】
以上、変形例３によれば、ノイズ削除回路６２９ａには、エッジパルス信号ｂのパルス幅Ｐｗに同期した時間の間、中間周波信号ｉｆ１を無信号として出力する。更に、この出力された信号（間欠信号ｆ）は検波回路６２６によって検波され検波信号ｇとして出力される。従って、表示装置８８及び表示装置８８周辺で発生するノイズ信号ｃが、アンテナＡＮＴから混入したとしても、ノイズ削除回路６２９ａによって、ノイズ信号ｃが混入した部分の受信信号ｅが無信号状態とされるため、実施形態２と同様の効果を得ることができる。
【０１０５】
〔実施形態３〕
次に、本発明を適用した電波時計１の実施形態３について説明する。実施形態３における電波時計１は、図２に示した実施形態１の電波受信装置６２を電波受信装置６２ｅに置き換えた構成である。
【０１０６】
図１４は、実施形態３における電波受信装置６２ｅの回路構成の一例を示すブロック図である。実施形態３における電波受信装置６２ｅは、アンテナ部６４０と、アンプ６４２と、検波部６４４と、ローパスフィルタ６４６と、短絡回路６４８と、ノイズタイミング信号生成部８６、表示装置８８とを備えて構成される。尚、実施形態１において図２に示して説明した電波受信装置６２と同一の構成要素には同一の符号を付してその説明を省略する。
【０１０７】
アンテナ部６４０は、コイル６４０ａとコンデンサ６４０ｂとを並列接続して構成された共振回路である。アンテナ部６４０は標準電波ｄを受信して、受信した電波を電気信号（受信信号ｐ）に変換して出力する。
【０１０８】
短絡回路６４８は、ＦＥＴ（Field-effect Transistor；電界効果トランジスタ）６４８ａを備えて構成され、ローパスフィルタ６４６から出力される平滑化パルス信号ｒに基づいて、アンテナ部６４０の出力を短絡させる。具体的には、平滑化パルス信号ｒがＦＥＴ６４８ａのゲート電圧として印加されている間、アンテナ部６４０の出力を短絡させる。この短絡回路６４８の短絡による無信号状態を含んだ信号を間欠信号ｑとする。
【０１０９】
アンプ６４２は、検波部６４４から出力された利得制御信号ｋ５に応じた増幅度で間欠信号ｑを増幅（或いは減衰）して、検波部６４４へ出力する。尚、アンプ６４２は、実施形態１のＲＦ増幅回路６２０に相当するものである。
【０１１０】
検波部６４４は、アンプ６４２により増幅（或いは減衰）された間欠信号ｑを検波して、標準タイムコードを抽出して、ＣＰＵ１０へ出力する。また、検波した信号の信号レベルを基に、利得制御信号ｋ５を生成して、アンプ６４２へ出力する。尚、検波部６４４は、例えば、実施形態１のＲＦ増幅回路６２０、第１フィルタ回路６２１、周波数変換回路６２２、局部発振回路６２３、第２フィルタ回路６２４、ＩＦ増幅回路６２５、検波回路６２６、第３フィルタ回路６２７、ＡＧＣ回路６２８及びタイムコード変換部７０の機能を有するものである。
【０１１１】
ローパスフィルタ６４６は、抵抗６４６ａ及びコンデンサ６４６ｂを備えて構成され、ノイズタイミング信号生成部８６から出力されたエッジパルス信号ｂを平滑化し、平滑化パルス信号ｒとして短絡回路６４８へ出力する。
【０１１２】
次に、図１５を参照しながら、電波受信装置６２ｅの具体的な動作を説明する。同図（ａ）は、表示装置８８が出力する表示制御信号ａの概略波形である。この表示制御信号ａのエッジ部分に同期するようにノイズ信号ｃ（図４（ｃ））が表示装置８８及び表示装置８８周辺から発生し、標準電波ｄに混入する。
【０１１３】
図１５（ｂ）は、アンテナ部６４０により受信される受信信号ｐの波形の概形である。受信信号ｐには、ノイズ信号ｃが混入し重畳されている。
【０１１４】
ノイズタイミング信号生成部８６は、表示制御信号ａのエッジ部分に同期したエッジパルス信号ｂ（図１５（ｃ））を生成して、ローパスフィルタ６４８は、エッジパルス信号ｂを平滑化し、（図１５（ｄ）のような平滑化パルス信号ｒを出力する。
【０１１５】
短絡回路６４８は、平滑化パルス信号ｒが入力されている間、例えば、時刻ｔ１０〜ｔ１２の間、アンテナ部６４０の出力を短絡させる。これにより、図１５（ｅ）のように、時刻ｔ１０〜ｔ１２、時刻ｔ１４〜ｔ１６の間の受信信号ｐに無信号状態の信号を含む間欠信号ｑがアンプ６４２へ出力される。更に、図１５（ｂ）では受信信号にノイズｃの影響がしばらく残るが、図１５（ｅ）は受信信号にノイズｃの影響が全く残らない。
【０１１６】
以上、実施形態３によれば、ノイズタイミング信号生成部８６が出力するエッジパルス信号ｂをローパスフィルタ６４６において平滑化して、短絡回路６４８に入力する。そして、短絡回路６４８は、平滑化パルス信号ｒが印加されている間、アンテナ部６４０の出力を短絡させる。これにより、アンテナ部６４０に蓄積されたエネルギーは放散され、ノイズ信号ｃが後段の回路へ伝搬することを防ぐことができ、実施形態１と同様の効果が得られる。
【０１１７】
また、エッジパルス信号ｂは、表示制御信号ａと同様にパルス波形の信号であるから、エッジパルス信号ｂのエッジ部分に同期するようにノイズが発生する可能性がある。エッジパルス信号ｂをローパスフィルタ６４６において平滑化することにより、エッジパルス信号ｂにより発生するノイズが低減される。これにより、エッジパルス信号ｂの影響で発生するノイズによる受信の劣化も防止することができる。
【０１１８】
〔実施形態４〕
次に、図１６を参照して、実施形態４を説明する。
上述した実施形態１〜３では、本発明を電波時計に適用した場合について説明したが、本実施形態では、本発明を中継器に適用した場合について説明する。中継器とは、例えば内部に電波が届き難い鉄骨住宅等の建物の窓際に設置され、長波標準電波を受信して正確な時刻情報を得て、この時刻情報を送信する装置である。そして、室内に設置された電波時計は、中継器から送信された時刻情報を受信して時刻修正を行う。
【０１１９】
図１６は、本発明を適用した中継器２の回路構成の一例を示すブロック図である。尚、中継器２の構成は、図１の電波時計１に送信部１００を加えたものと同一構成である。このため、以下においては、図１と同一要素については同一符号を付し、その説明を省略する。
【０１２０】
送信部１００は、ＣＰＵ１０から入力される標準タイムコードを所定の搬送波によって、中継電波としてアンテナ等を介して送信する。この時の搬送波は、受信する長波標準電波と同一であっても良いし、中継電波として専用の電波であっても良い。長波標準電波と同一である場合には、室内等に設置される電波時計は通常の電波時計であって良い。また、中継電波として専用の電波である場合には、電波時計には当該電波を受信する手段が必要となる。
【０１２１】
以上、実施形態４によれば、中継器２は、実施形態１及び２に示した電波時計１を構成要素として持つ。従って、実施形態１及び２と同様の効果を得られる中継器を実現することができる。また、中継器２の電波受信装置６２を、実施形態３における図１４の電波受信装置６２ｅに置き換えることにより、実施形態３と同様の効果を得られる中継器を実現することができる。
【０１２２】
以上、４つの実施形態によれば、表示制御信号生成部８０が出力する表示制御信号ａをもとに生成するエッジパルス信号ｂによって、電波時計１を構成する各回路部の動作を一定時間停止したり、出力信号の信号レベルを制御したりする。これにより、受信信号ｅ及びｐのノイズ信号ｃが混入した部分の信号を、後段の回路へ伝搬させない。従って、本体内部で発生するノイズによる影響を防止することができる。
【０１２３】
尚、以上の４つの実施形態において、表示制御信号生成部が出力するセグメント信号に同期する液晶駆動信号（表示制御信号ａ）のエッジ部分からエッジパルス信号ｂを生成したが、本発明の適用可能なものはこれに限られたものではなく、適宜変更可能である。例えば、ＬＣＤを制御するコモン信号等の制御信号をもとにエッジパルス信号ｂを生成することとしてもよい。これにより、コモン信号から発せられるノイズによる影響を防止することができる。
【０１２４】
また、エッジパルス信号ｂのもととなる制御パルスを表示制御信号ａとしたが、本発明の適用可能なものはこれに限られたものではなく、適宜変更可能である。例えば、表示装置８８のバックライトのＯＮ／ＯＦＦによる操作信号をもとにエッジパルス信号ｂを生成してもよいし、電波時計に組み込まれた各種回路・機能に対する制御信号をもとにエッジパルス信号ｂを生成するとしても勿論可能である。
【０１２５】
また、受信制御部６０の受信方式として、スーパーヘテロダイン方式を用いることとしたが、ストレート方式を用いることとしてもよい。図１７は、ストレート方式の受信制御部６１の回路構成を示す図である。同図によれば、受信制御部６１は、受信アンテナＡＮＴと、ＲＦ増幅回路６２０と、フィルタ回路６３０と、検波回路６３２とを備えて構成される。ストレート方式の受信制御部６１を上述した各実施形態に適用するためには、各構成を次に示すように変更するとよい。
【０１２６】
実施形態１に適用するためには、ノイズタイミング信号生成部８６のエッジパルス信号ｂをＲＦ増幅回路６２０へ出力し、ＲＦ増幅回路６２０の出力動作をエッジパルス信号ｂによって切り替えるように構成する。また、検波回路６３２が出力する検波信号を平滑化して、タイムコード変換部７０へ出力する第３フィルタ回路６２７を設ければよい。
【０１２７】
変形例１に適用するためには、エッジパルス信号ｂに基づいて、アンテナＡＮＴが出力する受信信号のエネルギーを放散させるスイッチ回路ＳＷを設ける。また、検波回路６３２が出力する検波信号を平滑化して、タイムコード変換部７０へ出力する第３フィルタ回路６２７を設ければよい。
【０１２８】
変形例２に適用するためには、検波回路６３２から出力される検波信号及びエッジパルス信号ｂに基づいてＲＦ増幅回路６２０の増幅度を制御するＲＦ制御信号を出力するＡＧＣ回路６２８ｂを設ける。また、検波回路６３２が出力する検波信号を平滑化して、タイムコード変換部７０へ出力する第３フィルタ回路６２７を設ければよい。
【０１２９】
実施形態２に適用するためには、エッジパルス信号ｂに基づいて、検波回路６３２が出力する検波信号のタイムコード変換部７０への出力を一時的に停止するノイズ削除回路６２９を設ける。また、ノイズ削除回路６２９が出力する信号を平滑化して、タイムコード変換部７０へ出力する第３フィルタ回路６２７を設ければよい。
【０１３０】
変形例３に適用するためには、エッジパルス信号ｂに基づいて、フィルタ回路６３０が信号の検波回路６３２への出力を一時的に停止するノイズ削除回路６２９ａを設ける。また、検波回路６３２が出力する検波信号を平滑化して、タイムコード変換部７０へ出力する第３フィルタ回路６２７を設ければいよい。
【０１３１】
実施形態３に適用するためには、エッジパルス信号ｂに基づいて、アンテナ部６４０の出力を短絡させる短絡回路６３８を設け、また、エッジパルス信号ｂを平滑化して短絡回路６４８へ出力するローパスフィルタ６４８を設ければよい。
【図面の簡単な説明】
【０１３２】
【図１】電波時計の機能構成を示すブロック図。
【図２】実施形態１の電波受信装置の回路構成を示すブロック図。
【図３】ノイズタイミング信号生成部の処理動作を示すフローチャート。
【図４】（ａ）表示制御信号、（ｂ）エッジパルス信号、（ｃ）ノイズ信号の概略波形を示す図。
【図５】ＲＦ増幅回路の処理動作を示すフローチャート。
【図６】（ａ）標準電波、（ｂ）受信信号、（ｃ）エッジパルス信号、（ｄ）間欠信号の概略波形を示す図。
【図７】（ａ）検波信号、（ｂ）検波補正信号の概略波形を示す図。
【図８】変形例１の電波受信装置の回路構成を示すブロック図。
【図９】変形例２の電波受信装置の回路構成を示すブロック図。
【図１０】実施形態２の電波受信装置の回路構成を示すブロック図。
【図１１】ノイズ削除回路の処理動作を示すフローチャート。
【図１２】実施形態２の検波信号の概略波形を示す図。
【図１３】変形例３の電波受信装置の回路構成を示すブロック図。
【図１４】実施形態３の電波受信装置の回路構成を示すブロック図。
【図１５】（ａ）表示制御信号、（ｂ）受信信号、（ｃ）エッジパルス信号、（ｄ）平滑化パルス信号、（ｅ）間欠信号の概略波形を示す図。
【図１６】中継器の機能構成を示すブロック図。
【図１７】ストレート方式の受信制御部の回路構成を示すブロック図。
【図１８】長波標準電波の波形を示す図。
【符号の説明】
【０１３３】
８０     表示制御信号生成部
８２     遅延回路部
８６     ノイズタイミング信号生成部
８８     表示装置
ＡＮＴ   アンテナ
６２０   ＲＦ増幅回路
６２５   ＩＦ増幅回路
６２６   検波回路
６２７   第３フィルタ回路
６２８   ＡＧＣ回路
６２９   ノイズ削除回路
【図１】
2005073223.tif 000003
【図２】
2005073223.tif 000004
【図３】
2005073223.tif 000005
【図４】
2005073223.tif 000006
【図５】
2005073223.tif 000007
【図６】
2005073223.tif 000008
【図７】
2005073223.tif 000009
【図８】
2005073223.tif 000010
【図９】
2005073223.tif 000011
【図１０】
2005073223.tif 000012
【図１１】
2005073223.tif 000013
【図１２】
2005073223.tif 000014
【図１３】
2005073223.tif 000015
【図１４】
2005073223.tif 000016
【図１５】
2005073223.tif 000017
【図１６】
2005073223.tif 000018
【図１７】
2005073223.tif 000019
【図１８】
2005073223.tif 000020